(57)【要約】本発明は、障害者および特別なニーズを持つ人々のために人間工学的に設計された携帯可能かつ移動可能な清めステーションに関しており、独立した快適なウドゥの実行を容易にするのに役立つ。清めステーションは、垂直プラットフォーム（１０）および底部ベース（２）を有する支持構造と、支持手段（４）によって垂直プラットフォーム（１０）の上部に連結されている洗浄プラットフォーム（５）と、洗浄プラットフォーム（５）から底部ベース（２）への水の流入を可能にするための、洗浄プラットフォーム（５）と垂直プラットフォーム（１０）との間の開口部と、使用者の身体の下部を洗浄するために支持構造の底部ベース（２）に固定されている噴水システム（１５）と、洗浄プラットフォーム（５）および噴水システム（１５）に指向されており、使用者の身体の上部を洗浄するために給水栓（１２）が洗浄プラットフォーム（５）に取り付けられている、水源からの水流を可能にするための水入口（１６）と、水入口（１６）から噴水システム（１５）への水流を制御するために設けられた水コントローラ（１４）と、清めステーションからの水の排出を可能にする水出口（２０）と、を含む。【選択図】図１
2019533568.tif 000002
【特許請求の範囲】
【請求項１】
携帯可能かつ移動可能な清めステーションであって、
垂直プラットフォーム（１０）および底部ベース（２）を有する支持構造と、
支持手段（４）によって前記垂直プラットフォーム（１０）の上部に連結されている洗浄プラットフォーム（５）と、
前記洗浄プラットフォーム（５）から前記底部ベース（２）への水の流入を可能にするための、前記洗浄プラットフォーム（５）と前記垂直プラットフォーム（１０）との間の開口部と、
使用者の身体の下部を洗浄するために前記支持構造の底部ベース（２）に固定されている噴水システム（１５）と、
前記洗浄プラットフォーム（５）および前記噴水システム（１５）に指向されており、使用者の身体の上部を洗浄するために給水栓（１２）が前記洗浄プラットフォーム（５）に取り付けられている、水源からの水流を可能にするための水入口（１６）と、
前記水入口（１６）から前記噴水システム（１５）への水流を制御するために設けられた水コントローラ（１４）と、
清めステーションからの水の排出を可能にする水出口（２０）と、
を含む、携帯可能かつ移動可能な清めステーション。
【請求項２】
上部の前記洗浄プラットフォームは、水がこぼれるのを防ぐように人間工学的に設計されており、車椅子の障害者に適している、請求項１に記載の携帯可能かつ移動可能な清めステーション。
【請求項３】
上部の前記洗浄プラットフォームは透明である、請求項１または２に記載の携帯可能かつ移動可能な清めステーション。
【請求項４】
前記噴水システムは、使用者の身体の下部全体をカバーするように多方向性である、請求項１に記載の携帯可能かつ移動可能な清めステーション。
【請求項５】
前記噴水システムは遠隔的かつ振動式である、請求項１または４に記載の携帯可能かつ移動可能な清めステーション。
【請求項６】
前記底部ベース（２）は、水溜まりを回避するために二重層ベースである、請求項１に記載の携帯可能かつ移動可能な清めステーション。
【請求項７】
前記水コントローラ（１４）は、前記洗浄プラットフォーム（５）上に配置されている、請求項１に記載の携帯可能かつ移動可能な清めステーション。
【請求項８】
前記清めステーションは、組み立て式の設置である、請求項１に記載の携帯可能かつ移動可能な清めステーション。
【発明の詳細な説明】
【技術分野】
【０００１】
本発明は、清めステーションに関する。より具体的には、清めステーションは、障害者や特別なニーズを持つ人々のために特別に設計されており、独立した快適なウドゥ（ｗｕｄｕ）の実行を容易にするのに役立つ。
【背景技術】
【０００２】
モスクは、一般市民以外の障害者や特別なニーズを持つ人々が頻繁に訪れる人気の建物の１つである。イスラム教徒がイスラム教を学ぶために、宗教談義、コーランの朗読および任意の他の活動等の宗教的活動が行われる主要な場所であり続けている。
【０００３】
モスクにて車椅子の障害者が直面する主な問題として、清めエリアへのアクセス性が挙げられる。また、清めエリアの既存の建築設計は、主に、清めエリアの座席間のスペースが不十分であることが、車椅子利用者にとって清めエリアへのアクセスの障害となり得る故に、車椅子利用者を満足させていない。一方で、妊婦や高齢者等の特別なニーズを持つ人々にとっても、既存の清め施設は十分にユーザフレンドリーであるとは言えない。
【０００４】
特許文献１は、排水洗面器、座席、フットレスト、スプラッシュ壁、段差および排水孔からなる清めステーションを開示している。特許文献２は、着座したままで使用者が清めの儀式を行うことを可能にする洗面器を開示している。しかしながら、従来技術は両者とも、使用者が用意された座席に着席しなければならず、車椅子利用者である故に、車椅子から用意された座席に移動するのが困難であり、清めプロセスを実行するのに他人の助けが必要となり得る点から、車椅子利用者の要求を満たすことができない。更に、清めステーションおよび洗面器の固定構造により特別なスペースを必要とし、また、移動させることができず、移動プロセスは非常に制限され、困難であり、かつ非常に費用がかかる。
【先行技術文献】
【特許文献】
【０００５】
【特許文献１】カナダ国特許出願公開第２５６１７７３号明細書
【特許文献２】ドイツ国特許出願公開第２００７０２１３９号明細書
【発明の概要】
【発明が解決しようとする課題】
【０００６】
従って、当技術分野においては、特に身体障害者または特別なニーズを持つ人々等のあらゆる種類の人々に適した、改良された設計で携帯可能かつ設置が容易な清めステーションを提供する必要がある。
【課題を解決するための手段】
【０００７】
本発明の第１の態様によれば、垂直プラットフォーム（１０）および底部ベース（２）を有する支持構造と、支持手段（４）によって垂直プラットフォーム（１０）の上部に連結されている洗浄プラットフォーム（５）と、洗浄プラットフォーム（５）から底部ベース（２）への水の流入を可能にするための、洗浄プラットフォーム（５）と垂直プラットフォーム（１０）との間の開口部と、使用者の身体の下部を洗浄するために支持構造の底部ベース（２）に固定されている噴水システム（１５）と、洗浄プラットフォーム（５）および噴水システム（１５）に指向されており、使用者の身体の上部を洗浄するために給水栓（１２）が洗浄プラットフォーム（５）に取り付けられている、水源からの水流を可能にするための水入口（１６）と、水入口（１６）から噴水システム（１５）への水流を制御するために設けられた水コントローラ（１４）と、清めステーションからの水の排出を可能にする水出口（２０）と、を含む、携帯可能かつ移動可能な清めステーションが提供される。
【０００８】
有利には、清めステーションは、車椅子利用者が自分の車椅子に乗ったままで、独立して快適に清めプロセスを実行するのに適している。
【０００９】
有利には、清めステーションは、清めプロセスを実行する上で使用者に快適性を提供しつつ、水がこぼれるのを防ぐように人間工学的に設計されている。
【００１０】
有利には、洗浄プラットフォームの透明な特徴により、使用者は自分の足を洗浄する際に見下ろすことができる。
【００１１】
有利には、清めステーションの設計はユーザフレンドリーであり、使用者は清めプロセスを実行する上で、もはや他人に頼る必要がない。
【００１２】
有利には、遠隔的で、振動式かつ多方向の噴水システム（１５）の特徴は、水入口（１６）から噴水システム（１５）への水流を制御する水コントローラ（１４）が設けられることによって、独立型の特徴を保証するのに有益である。
【００１３】
有利には、組み立て式の設置により、高価な設置および既存の設備の改修を回避する。
【００１４】
有利には、底部ベース（２）の二重層の特徴により、水溜まりを回避する。
【００１５】
本発明の本質をより完全に理解するために、添付の図面と共に以下の詳細な説明を参照されたい。
【図面の簡単な説明】
【００１６】
【図１】本発明の清めステーションの概略図である。
【図２】本発明の流水機構の概略図である。
【発明を実施するための形態】
【００１７】
本発明は、携帯可能かつ移動可能な清めステーションに関する。図１および図２を参照すると、清めステーションは、垂直プラットフォーム（１０）および底部ベース（２）を有する支持構造と、支持手段（４）によって垂直プラットフォーム（１０）の上部に連結されている洗浄プラットフォーム（５）と、洗浄プラットフォーム（５）から底部ベース（２）への水の流入を可能にするための、洗浄プラットフォーム（５）と垂直プラットフォーム（１０）との間の開口部と、使用者の身体の下部を洗浄するために支持構造の底部ベース（２）に固定されている噴水システム（１５）と、洗浄プラットフォーム（５）および噴水システム（１５）に指向されており、使用者の身体の上部を洗浄するために給水栓（１２）が洗浄プラットフォーム（５）に取り付けられている、水源からの水流を可能にするための水入口（１６）と、水入口（１６）から噴水システム（１５）への水流を制御するために設けられた水コントローラ（１４）と、清めステーションからの水の排出を可能にする水出口（２０）と、を含む。
【００１８】
一実施形態では、洗浄プラットフォーム（５）は、水がこぼれるのを防ぐように人間工学的に設計されており、車椅子を使用している障害者に適している。一般的に、清めステーションの全体構造は、障害者や車椅子に縛られている人々に適するように、障害者コミュニティの様々な条件における人体計測学を考慮することによって、人間工学的に設計されている。独自の透明な洗浄プラットフォーム（５）は人間工学的に設計されており、使用者が自分の足を洗浄する際に見下ろすことを可能にし、清めプロセスの間、彼らに快適性をもたらす。更に、清めステーションの設計はユーザフレンドリーであり、それによって車椅子使用者は車椅子に着座した状態を維持することができ、もはや他人の援助に頼る必要がない。支持手段（４）は、一群のヒンジ機構から選択することができる。
【００１９】
第２の実施形態では、噴水システム（１５）の遠隔的で、振動式かつ多方向の特徴により、独立した足の洗浄が保証され、車椅子使用者は余分な努力および不快感なしに清めプロセスを行うことができる。独立型の特徴は、水入口（１６）から噴水システム（１５）への水流を制御するための水コントローラ（１４）を使用することによって画定される。これらの特徴は、使用者の身体の下部全体、特に足が水でカバーされることを確実にするために不可欠である。任意に、使用者が便利に使用するために、ビデ（１３）が水入口（１６）から延在している。底部ベース（２）の二重層構造は、水溜まりを回避するように設計されており、使用済みの水は出口（２０）、好ましくは穴によって清めステーションから流出する。
【００２０】
第３の実施形態では、清めステーションは組み立て式の設置により、高価な設置および既存の設備の改修を回避する。
【００２１】
本発明を特定の実施形態を参照して説明してきたが、実施形態は本発明の原理および用途の単なる例示であることを理解されたい。従って、例示的な実施形態に対して多数の修正を加えることができ、添付の特許請求の範囲によって定義される本発明の範囲から逸脱することなく、他の構成を考案することができることを理解されたい。
【図１】
2019533568.tif 000003
【図２】
2019533568.tif 000004
【国際調査報告】
2019533568.tif 000005
2019533568.tif 000006
2019533568.tif 000007